(57)【要約】  本発明は、カートリッジ（１）であって、コンテナ（５）の首部（３）と協働して、カートリッジ（１）に収容される製品が前記コンテナ（５）内に流出することを可能にするのに適する、カートリッジ（１）に関し、前記カートリッジ（１）は、少なくとも１つのリザーバ（７）；リザーバ（７）の開口（９）を閉鎖する可動シール手段（１３）；及びソケット（２３）を含み、可動シール手段（１３）は少なくとも１つのリング（１９，２１）を備え、少なくとも１つのリング（１９，２１）は、コンテナ（５）の首部（３）と協働して、コンテナ（５）の首部（３）によって前記リング（１９，２１）に加えられる圧力によって、可動シール手段（１３）がリザーバ（７）の下方壁（１１）に沿って摺動することを可能にし、１つまたは複数のフラップ（１７）の開放をもたらすように構成され、さらに、可動シール手段（１３）の少なくとも１つのリング（１９，２１）は、保持ラグ（２５）を備え、保持ラグ（２５）は、ソケット（２３）の内部逃がし（２７）と協働して、可動シール手段（１３）をソケット（２３）の内部の位置に維持し、リザーバ（７）の開口（９）を閉鎖するように構成される。【選択図】  図３
2020506126.tif 000002
【特許請求の範囲】
【請求項１】
カートリッジ（１）において、コンテナ（５）の首部（３）と協働して、カートリッジ（１）に収容される製品が前記コンテナ（５）内に流出することを可能にするのに適する、カートリッジ（１）であって、
−前記製品を収容するのに適するリザーバ（７）であって、リザーバ（７）から前記コンテナ（５）内に前記製品を移送するために、リザーバ（７）の下方壁（１１）上に下方開口（９）を有する、リザーバ（７）と、
−前記リザーバ（７）の前記開口（９）を閉鎖する可動シール手段（１３）であって、円柱本体（１５）及び前記円柱本体（１５）の下方アパーチャを閉鎖する１つまたは複数のフラップ（１７）を備え、前記円柱本体（１５）は、前記リザーバ（７）の前記下方壁（１１）を囲み、閉鎖位置と開放位置との間で前記下方壁（１１）に沿って摺動する寸法に作られ、前記開放位置において、前記１つまたは複数のフラップ（１７）は、前記リザーバの前記下方壁（１１）によって前記フラップ（１７）に加えられる圧力によって開放される、可動シール手段（１３）と、
−前記リザーバ（７）の前記下方壁（１１）と前記可動シール手段（１３）の両方を囲むように配置されたソケット（２３）とを含み、
カートリッジ（１）は、前記可動シール手段（１３）が少なくとも１つのリング（１９，２１）を更に備え、前記１つのリングまたは前記複数のリングの１つのリング（１９）が、前記コンテナ（５）の首部（３）と協働して、前記コンテナ（５）の首部（３）によって前記リング（１９，２１）に加えられる圧力によって、前記可動シール手段（１３）が前記リザーバ（７）の前記下方壁（１１）に沿って摺動することを可能にし、前記１つまたは複数のフラップ（１７）の開放をもたらすように構成されること、及び、前記可動シール手段（１３）の少なくとも１つのリング（１９，２１）が、保持ラグ（２５）を備え、前記保持ラグ（２５）が、前記ソケット（２３）の内部逃がし（２７）と協働して、前記可動シール手段（１３）を前記ソケット（２３）の内部の位置に維持し、前記リザーバ（７）の前記開口（９）を閉鎖するように構成されることを特徴とする、カートリッジ（１）。
【請求項２】
前記１つまたは複数のフラップ（１７）は、前記コンテナ（５）の前記首部（３）と協働するように構成される前記リング（１９）に連結されることを特徴とする、請求項１に記載のカートリッジ（１）。
【請求項３】
前記可動シール手段（１３）は、下方リング（１９）及び上方リング（２１）を示すために前記円柱本体（１３）に沿って分配された２つのリング（１９，２１）を備え、前記下方リング（１９）は前記コンテナ（５）の前記首部（３）と協働するために配置されたリングであることを特徴とする、請求項１または２に記載のカートリッジ（１）。
【請求項４】
前記ソケット（２３）は、前記コンテナ（５）の前記首部（３）を受取る寸法に作られた下方アパーチャを示し、前記下方アパーチャは、前記可動シール手段（１３）の前記１つのリングまたは前記複数のリング（１９，２１）の少なくとも１つのリングの外径より大きい内径を有することを特徴とする、請求項１から３のいずれか１項に記載のカートリッジ（１）。
【請求項５】
前記可動シール手段（１３）は、下方リング（１９）及び上方リング（２１）を示すために円柱本体（１５）に沿って分配された２つのリング（１９，２１）を備え、前記可動シール手段（１３）の前記上方リング（２１）は、保持ラグ（２５）を備え、前記保持ラグ（２５）は、前記ソケット（２３）の雌ねじ（２７）と協働して、前記可動シール手段（１３）を前記ソケット（２３）の内部の位置に維持し、前記リザーバ（７）の前記開口（９）を閉鎖するように構成されることを特徴とする、請求項１から４のいずれか１項に記載のカートリッジ（１）。
【請求項６】
−前記ソケットの前記内部逃がし（２７）は、雌ねじあるいは１つまたは複数のフープである、
及び／または
−前記ソケットの前記内部逃がしは１つまたは複数のフープであり、前記コンテナの前記首部と協働するように構成される前記１つのリングまたは前記複数のリングの少なくとも１つのリングは、前記リザーバの前記開口の径の少なくとも２倍の外径を有することを特徴とする、請求項１から５のいずれか１項に記載のカートリッジ（１）。
【請求項７】
前記リザーバ（７）の前記下方壁（１１）は、前記下方壁（１１）の外周が前記リザーバ（７）の上部からの高さの変動を示すように斜角付きまたはねじれた形状を示し、前記外周は前記１つまたは複数のフラップと接触することを意図されることを特徴とする、請求項１から６のいずれか１項に記載のカートリッジ（１）。
【請求項８】
前記可動シール手段（１３）は、複数のフラップであって、それぞれのフラップが、隣接するフラップと共通の少なくとも１つの側部を有し、複数のフラップの遠位端が前記複数のフラップに対する接合ポイントまたは接合ラインを形成する、複数のフラップを備えること、及び、前記リザーバ（７）の前記下方壁（１１）は、前記可動シール手段（１３）が前記下方壁（１１）に沿って摺動するとき、前記フラップを開放するために近位端上で前記フラップに圧力を加えることになることを特徴とする、請求項１から７のいずれか１項に記載のカートリッジ（１）。
【請求項９】
前記可動シール手段（１３）は単一フラップ（１７）を備え、前記フラップ（１７）は、断裂周縁を画定する脆弱ゾーン（２７）によって前記下方リングに接続され、前記脆弱ゾーン（２７）は、前記可動手段が前記下方壁（１１）に沿って摺動するとき、前記フラップ（１７）を開放するために、前記リザーバ（７）の前記下方壁（１１）によって加えられる圧力によって断裂されるのに適すること、及び、前記フラップ（１７）及び前記下方リング（１９）は同じ材料で作られ、前記脆弱ゾーン（２７）は前記フラップ（１７）の壁の厚さを減らすことによって得られることを特徴とする、請求項１から７のいずれか１項に記載のカートリッジ（１）。
【請求項１０】
前記フラップ（１７）は、厚さ部分を示す脚部(ｌｅｇ)の形態の少なくとも１つのヒンジによって前記下方リング（１９）に更に接続されることを特徴とする、請求項９に記載のカートリッジ（１）。
【発明の詳細な説明】
【技術分野】
【０００１】
本発明は、液体製品を収容するコンテナ内の液体または粉末等の製品を分注するように適合されたカートリッジの分野に関する。より詳細には、本発明は、溶液が原位置で調製されることを可能にするコンテナ上に配置され得るカートリッジに関する。
【背景技術】
【０００２】
粉末または液体の形態の食品または非食品配合物は非常に普及している。前記配合物は、衛生または安全性の厳しい条件下で貯蔵され調製されなければならない。粉末または流体の形態の配合物は、内容物から分離されたパッケージング内に配置され得、パッケージング内で、配合物は、その後、希釈または分散されることになる。例えば、配合物は、シール式パッケージング内に配置され得、前記パッケージングは、ボトル等のコンテナ内に粉末または流体を放出するために開放される。前記ハンドリングは、一般にエンドユーザによって実施され、水または配合物の汚染のリスクを示唆する。
【０００３】
配合物を貯蔵するための独立したリザーバを備えるデバイスまたはコンテナが知られている。例えば、特許文献１は、閉鎖部であって、その外方端で閉鎖され、流体製品がボトル内に分配されることを可能にする、閉鎖部について述べる。カートリッジがコンテナの首部と協働する必要があるときに、特に、コンテナの首部が、異なる径または異なる長さ等、異なる形式を示すときに問題が生じる場合がある。
【０００４】
したがって、コンテナ上に取付けられるのに適し、デバイス内に収容される製品、例えば流体または粉末をコンテナ内に収容される液体と混合することによって、溶液が原位置で調製されることを可能にし、また、既知のデバイスの上記問題の１つまたは幾つかを少なくとも部分的に解決するデバイスについての必要性が存在する。
【先行技術文献】
【特許文献】
【０００５】
【特許文献１】米国特許出願公開第２０１１／０２２６７７０号明細書
【発明の概要】
【発明が解決しようとする課題】
【０００６】
コンテナの首部と協働するように構成される開放手段によってコンテナ内に製品を分注するように構成されるカートリッジを提供することが本発明の目的である。ここで、前記首部は異なる形式を有する。
【課題を解決するための手段】
【０００７】
したがって、本発明は、カートリッジであって、コンテナの首部と協働して、カートリッジに収容される製品が前記コンテナ内に流出することを可能にするのに適する、カートリッジを提供し、前記カートリッジは：
−前記製品を収容するのに適するリザーバであって、リザーバからコンテナ内に前記製品を移送するために、リザーバの下方壁上に下方開口を有する、リザーバと、
−リザーバの開口を閉鎖する可動シール手段であって、円柱本体及び円柱本体の下方アパーチャを閉鎖する１つまたは複数のフラップを備え、前記円柱本体は、リザーバの下方壁を囲み、閉鎖位置と開放位置との間で下方壁に沿って摺動する寸法に作られ、開放位置において、１つまたは複数のフラップは、リザーバの下方壁によって前記フラップに加えられる圧力によって開放される、可動シール手段と、
−リザーバの下方壁と可動シール手段の両方を囲むように配置されたソケットとを含み、
カートリッジは、可動シール手段が少なくとも１つのリングを更に備え、１つのリングまたは複数のリングのうちの１つのリングが、コンテナの首部と協働して、コンテナの首部によって前記リングに加えられる圧力によって、可動シール手段がリザーバの下方壁に沿って摺動することを可能し、１つまたは複数のフラップの開放をもたらすように構成される点で、また、可動シール手段の少なくとも１つのリングが、保持ラグを備え、保持ラグが、ソケットの内部逃がしと協働して、可動シール手段をソケットの内部の位置に維持し、リザーバの開口を閉鎖するように構成される点で優れている。
【０００８】
好ましくは、ソケットはリザーバと一体である。
【０００９】
好ましくは、１つまたは複数のフラップは、コンテナの首部と協働するように構成されるリングに連結される。好ましくは、可動シール手段は、下方リング及び上方リングを示すために円柱本体に沿って分配された２つのリングを備え、１つまたは複数のフラップは下方リングに連結される。
【００１０】
本発明の好ましい実施形態において、可動シール手段は、下方リング及び上方リングを示すために円柱本体に沿って分配された２つのリングを備え、下方リングはコンテナの首部と協働するために配置されたリングである。この配置構成は、カートリッジが、リザーバの壁に沿って摺動するとき、可動手段の減少したストロークによって開放されることを可能にする。
【００１１】
一実施形態において、ソケットの内部逃がしは、雌ねじであるあるいは１つまたは複数のフープである。内部逃がしが雌ねじである実施形態において、カートリッジは、コンテナの首部上にねじ込まれることができ、雌ねじは同様に保持ラグと協働して、可動シール手段を閉鎖位置に維持する。内部逃がしが１つまたは複数のフープである実施形態において、１つまたは複数のフープは、保持ラグと協働して、可動シール手段を閉鎖位置に留める。
【００１２】
一実施形態において、可動シール手段は、リザーバ壁上に固定されるためにクリッピング手段を備える。
【００１３】
一実施形態において、ソケットは、コンテナの首部を受取る寸法に作られた下方アパーチャを示し、下方アパーチャは、可動シール手段の１つのリングまたは複数のリングの少なくとも１つのリングの外径より大きい内径を有する。
【００１４】
好ましくは、ソケットの内部逃がしは１つまたは複数のフープであり、コンテナの首部と協働するように構成される１つのリングまたは複数のリングの１つのリングは、リザーバの開口の径の少なくとも２倍の外径を有する。こうした構成は、カートリッジが、異なる径の首部を有するコンテナと協働することを可能にする。
【００１５】
好ましくは、リザーバは、前記リザーバの下方開口が前記リザーバと同じ径のアパーチャであるようなチューブを形成する。そのため、リザーバは、一方の側で開放されるチューブである。
【００１６】
好ましくは、可動シール手段は、下方リング及び上方リングを示すために円柱本体に沿って分配された２つのリングを備え、可動シール手段の上方リングは、保持ラグを備え、保持ラグは、ソケットの雌ねじと協働して、可動シール手段をソケットの内部の位置に維持し、リザーバの開口を閉鎖するように構成される。ソケットが雌ねじを備えるとき、カートリッジは、リザーバの首部上に取付けられるのに適する。
【００１７】
本発明の変形形態において、可動シール手段は、下方リング及び上方リングを示すために円柱本体に沿って分配された２つのリングを備え、可動シール手段の上方リングは、保持ラグを備え、保持ラグは、ソケットの１つまたは複数の内部フープと協働して、可動シール手段をソケットの内部の位置に維持し、リザーバの開口を閉鎖するように構成される。こうした配置構成において、１つまたは複数の内部フープは、可動シール手段をリザーバの閉鎖位置上に留めるための、保持ラグと協働するクリッピング手段である。
【００１８】
任意選択で、リザーバの下方壁は、下方壁の外周がリザーバの上部からの高さの変動を示すように斜角付きまたはねじれた形状を示し、外周は１つまたは複数のフラップと接触することを意図される。
【００１９】
一実施形態において、可動シール手段は、複数のフラップであって、それぞれのフラップが、隣接するフラップと共通の少なくとも１つの側部を有し、複数のフラップの遠位端が前記複数のフラップに対する接合ポイントまたは接合ラインを形成する、複数のフラップを備え、リザーバの下方壁は、可動シール手段が前記下方壁に沿って摺動するとき、フラップを開放するためにフラップの近位端上に圧力を加えることになる。
【００２０】
別の実施形態において、可動シール手段は単一フラップを備え、フラップは、断裂周縁を画定する脆弱ゾーンによって下方リングに接続され、脆弱ゾーンは、可動手段が前記下方壁に沿って摺動するとき、フラップを開放するために、リザーバの下方壁によって加えられる圧力によって断裂されるのに適し、フラップ及び下方リングは同じ材料で作られ、脆弱ゾーンはフラップの壁の厚さを減らすことによって得られる。好ましくは、フラップは、厚さ部分を示す脚部の形態の少なくとも１つのヒンジによって下方リングに更に接続される。
【図面の簡単な説明】
【００２１】
【図１】いつでも使用できる位置にありかつコンテナ上に取付けられた、特定の実施形態によるカートリッジの断面図である。
【図２ａ】本発明の特定の実施形態による可動シール手段の下面図であり、カートリッジは単一フラップを有する。
【図２ｂ】本発明の特定の実施形態による可動シール手段の上面図であり、カートリッジは単一フラップを有する。
【図３】使用後の（すなわち、可動シール手段が開放された後の）位置にある特定の実施形態によるカートリッジの断面図である。
【発明を実施するための形態】
【００２２】
本発明は、添付の独立請求項によって規定される。好ましい実施形態は従属請求項において規定される。
【００２３】
本発明によるカートリッジ１が示される図１に対して参照が行われ、前記カートリッジ１は、カートリッジ１に収容される製品が前記コンテナ５内に流出することを可能にするためにコンテナ５の首部３上に取付けられかつ首部３と協働するのに適する。カートリッジ１は、例えば流体または粉末等の製品を収容するのに適するリザーバ７を備える。前記カートリッジは、コンテナ５の首部３上に配置されると、流体製品または粉末が、前記コンテナ５内に流出することを可能にする。コンテナ５は、好ましくは、液体で充填されるため、製品及び液体は溶液を形成する。好ましい実施形態において、カートリッジは、コンテナの首部上にねじ込まれる手段を備え、製品及び液体を混合するためにカートリッジ及びコンテナによって形成される組立体を安全に振り動かす可能性を許す。ユーザは、後に、コンテナの首部からカートリッジを取外すことによって溶液にアクセスできる。
【００２４】
好ましい実施形態によれば、製品は、重力の結果としてリザーバ７からコンテナ５の内部に流出する。これに対する代替法として、リザーバ７は、柔軟材料であることができ、柔軟材料は、例えば、弾性材料で生産される弁を通して、リザーバ７からコンテナ５内に製品を強制的に流出させるために圧縮されるのに適する。
【００２５】
好ましい実施形態において、リザーバ７は、リザーバ７からコンテナ５内に製品を移送するためにその下方壁１１上に下方開口９を有する。好ましくは、リザーバ７はチューブを形成し、前記リザーバ７の下方開口９は、前記リザーバ７と同じ径のアパーチャである。そのため、リザーバ７は、一方の側で開放されるチューブである。本発明の変形形態において、リザーバ７の下方壁１１は、リザーバ７の上方壁の径より小さい径を有するボトルネックを形成する。
【００２６】
本発明の好ましい変形形態において、カートリッジ１は、少なくとも１つまたは複数の可動フラップ１７を備えるリザーバ７を密閉するための可動手段１３を備える。好ましい方式で、密閉するための前記可動手段１３は、可逆的かつ再現可能な方式でリザーバ７の閉鎖及び開放を制御し得る。本カートリッジの使い捨てバージョンにおいて、可動手段１３は、１つまたは複数のフラップが開放されてしまうと、リザーバ７を再閉鎖するのにもはや役立つことができない。
【００２７】
そのため、本発明によれば、カートリッジ１は、リザーバ７の開口９を閉鎖する可動シール手段１３を備える。可動シール手段１３は、円柱本体１５及び円柱本体１５の下方アパーチャを閉鎖する１つまたは複数のフラップ１７を備える。円柱本体１５は、リザーバ７の下方壁１１を囲み、閉鎖位置と開放位置との間で下方壁１１に沿って摺動する寸法に作られる。閉鎖位置において、１つまたは複数のフラップ１７は、リザーバの下方アパーチャ９を閉鎖する。開放位置にて、１つまたは複数のフラップ１７は、リザーバの下方壁１１によって前記フラップ１７に加えられる圧力によって開放され、リザーバの下方壁１１の遠位端は可動シール手段の円柱本体１５を通過する。可動シール手段１３は、少なくとも１つのリング（１９，２１）を更に備え、少なくとも１つのリング（１９，２１）は、コンテナ５の首部３と協働して、コンテナ５の首部３によって前記リング（１９，２１）に加えられる圧力によって、可動シール手段１３がリザーバ７の下方壁１１に沿って摺動することを可能にし、それにより、１つまたは複数のフラップ１７の開放をもたらすように構成される。
【００２８】
本発明の好ましい実施形態において、また、図２ａ及び図２ｂに示すように、可動シール手段１３は、下方リング１９及び上方リング２１を示すために円柱本体１５に沿って分配された２つのリング（１９，２１）を備え、下方リング１９はコンテナの首部と協働するために配置されたリングである。
【００２９】
本明細書には示さない一実施形態において、可動シール手段は、リザーバの開口を閉鎖するための位置に維持されるために、リザーバの壁上の相補的クリッピング手段と協働するクリッピング手段を備える。こうした場合、クリッピング手段が、可動シール手段のリングに圧力が加えられると破壊(ｂｒｅａｋ)されて、可動シール手段が１つまたは複数のフラップを開放するためにリザーバに沿って摺動することを可能にすることが理解される。この実施形態において、可動シール手段が１つのリングのみを有することが好ましい。
【００３０】
一実施形態において、カートリッジ１は、リザーバ７の下方壁１１と可動シール手段１３の両方を囲むように配置されたソケット２３を有する。ソケットは、コンテナ５の首部３を受取る寸法に作られた下方アパーチャを示す。図１及び図３に見られるように、下方アパーチャは、可動シール手段１３の１つのリング１９または複数のリング（１９，２１）の少なくとも１つのリングの外径より大きい内径を有する。ソケットが雌ねじ２７を備えるとき、ソケット２３の内径は前記雌ねじ２７だけ減少する。可動シール手段が１つのリングのみを備えるとき、このリングはソケットの内径より小さい外径を有する。こうした場合、コンテナの首部と協働するように構成されるリングであるリングは、保持ラグを好ましくは更に示し、保持ラグは、ソケットの雌ねじまたはソケットの内部のクリッピング手段と協働して、可動シール手段をソケットの内部の位置に維持し、リザーバの開口を閉鎖するように構成される。
【００３１】
可動シール手段が２つのリング（１９，２１）を備えるとき、少なくとも下方リング１９はソケット２３の内径より小さい外径を有する。好ましくは、上方リング２１及び下方リング１９はソケット２３の内径より小さい外径を有する。これは、可動シール手段１３がソケット２３の内部を移動することを可能にする。
【００３２】
可動シール手段１３が２つのリング（１９，２１）を備えるとき、上方リング２１は、保持ラグ２５を好ましくは備え、保持ラグ２５は、ソケット２３の雌ねじ２７と協働して、可動シール手段１３をソケット２３の内部の位置に維持し、リザーバ７の開口９を閉鎖するように構成される。好ましくは、保持ラグ２５は、可動シール手段１３がリザーバに沿って摺動すると、ねじ山２７によって保持されないようにソケット２３の雌ねじ２７の上部に載る。こうした実施形態において、カートリッジ１がコンテナ５の首部３上にねじ込まれることができ、ソケットの雌ねじがコンテナ５の首部３の雄ねじと協働することが理解される。
【００３３】
本発明の変形形態（本明細書には示さない）において、可動シール手段の上方リングは、保持ラグを備え、保持ラグは、ソケットの内部の１つまたは複数の内部フープ（すなわち、クリッピング手段）と協働して、可動シール手段をソケットの内部の位置に維持し、リザーバの開口を閉鎖するように構成される。こうした実施形態において、カートリッジが、開放されるためにコンテナの首部に押付けられることができることが理解される。好ましくは、コンテナの首部と協働するように構成される１つのリングまたは複数のリングのうちの１つのリングは、異なる径の首部との協働によってカートリッジが開放されることを可能にするために、リザーバの開口の径の少なくとも２倍の外径を有する。
【００３４】
両方の場合に、首部は、可動シール手段１３の下方リングと接触させられ、カートリッジのねじ込みまたは押付けは、カートリッジ内のより深い所への首部の進入をもたらし、それにより、可動シール手段１３の下方リング１９に圧力を加える。可動シール手段１３は、リザーバの壁に沿って強制的に摺動させられ、１つまたは複数のフラップ１７上の脆弱ゾーンを形成する弱化ラインの断裂によって、リザーバの下方壁の遠位端が可動シール手段１３を通過するようにさせる。
【００３５】
任意選択で、１つまたは複数のフラップ上の脆弱ゾーンを形成する弱化ラインの断裂を支援するために、リザーバの下方壁は、１つまたは複数のフラップと接触することが意図される下方壁の外周がリザーバの上部に対して高さの変動を示すように斜角付きまたはねじれた形状を示す。
【００３６】
上記で述べたように、可動シール手段は、単一フラップまたは複数のフラップを備えてもよい。（本明細書には示さない）一実施形態において、可動シール手段は、複数のフラップであって、それぞれのフラップが、隣接するフラップと共通の少なくとも１つの側部を有し、複数のフラップの遠位端が前記複数のフラップに対する接合ポイントまたは接合ラインを形成する、複数のフラップを備え、リザーバの下方壁は、可動シール手段が前記下方壁に沿って摺動するとき、フラップを開放するためにフラップの近位端に圧力を加えることになる。リザーバの下方壁の遠位端は、可動シール手段の開放をアクティブ化するために、フラップの近位端と接触状態になる。弱化ラインは、フラップの側部上に配置され、圧力の作用下で破壊する。フラップは、その初期位置に対して回転運動を実施することになるため、リザーバが開放されると、フラップは、リザーバの下方壁に平行に配置されることになる。
【００３７】
好ましい実施形態において、可動シール手段１３は単一フラップ１７を備える。フラップは、断裂周縁を画定する脆弱ゾーンによって下方リングに接続され、脆弱ゾーンは、可動手段が前記下方壁に沿って摺動するとき、フラップを開放するために、リザーバの下方壁によって加えられる圧力によって断裂されるのに適し、フラップ及び下方リングは同じ材料で作られ、脆弱ゾーンはフラップの壁の厚さを減らすことによって得られる。好ましくは、フラップは、厚さ部分を示す脚部の形態の少なくとも１つのヒンジによって下方リングに更に接続される。
【００３８】
好ましい方式で、可動シール手段１３が開放した後でも、１つまたは複数のフラップ１７は、可動シール手段が複数のフラップを備えるときにその近位端によって、また、可動シール手段１３が単一フラップ１７を備えるときにヒンジによって、可動シール手段１３の下方リング１９に接続されたままである。そのため、どんな破片もコンテナ内の溶液を汚染することはない。
【００３９】
図示しない本発明の特定の実施形態によるカートリッジは、リザーバの上部に第２の開口を備え得る。リザーバの第２の開口は、取外し可能カバーによって閉鎖されることができる。カバーは、当業者に知られている固定手段、例えば、ノッチのシステム、あるいは、タッピングか、ねじ切りか、またははんだ付けによってリザーバの上方壁と協働し得る。
【００４０】
図３は、その開放位置における、すなわち、可動シール手段１３が開放された後の本発明によるカートリッジの断面図を示す。可動シール手段１３を通るリザーバ７の下方壁１１のそれぞれの変位は、フラップ１７の周縁に配置される脆弱ゾーンの破壊を可能にした。フラップ１７はリザーバ７の下方壁１１と協働する。それでも、フラップ１７のヒンジは、可動シール手段１３の下方リング１９に接続されたままである。
【００４１】
カートリッジはプラスチック材料を成形することによって生産され得る。これに対する代替法として、カートリッジの構成要素は、アルミニウム、軟鋼、カードボード、または任意の他の材料であり得る。好ましい方式で、カートリッジの外側表面は前記材料であり、一方、可動シール手段１３はプラスチック材料である。
【００４２】
本出願で論じられる変形形態は、食品または非食品分野の用途に特に適合する。
【００４３】
本発明のカートリッジは、最良の衛生条件下で液体組成物（溶液または分散液）の原位置での調製を可能にするという利点を提供する。リザーバ７は、医薬品成分及び食品補完体の他に、食品品質製品であって、コンテナ５に収容される液体と前記製品を混合することによって液体形態で消費されるのに適する、食品品質製品を収容し得る。これに対する代替法として、リザーバ７に収容される製品は、非食品、例えば、ケア製品、清浄化製品、またはコスメティック製品であり得る。前記場合に、カートリッジ１、特に可動シール手段１３の気密性は、製品が、大気から遮断されて保存されることを可能にし、製品の劣化が回避される。リザーバ７に収容される製品が濃縮された形態であり、したがって、ユーザにとってリスクを提示する場合、本発明は、接触のリスクなしで、希釈溶液の調製を可能にすることになる。形成される希釈溶液は、任意の特定の予防策なしで使用される可能性がある。
【図１】
2020506126.tif 000003
【図２ａ】
2020506126.tif 000004
【図２ｂ】
2020506126.tif 000005
【図３】
2020506126.tif 000006
【国際調査報告】
2020506126.tif 000007
2020506126.tif 000008